(57)【要約】      （修正有）【課題】  画像読取装置の設置調整時の工数を削減することができる画像読取装置を提供することを目的とする。【解決手段】  ブローニフィルムの各サイズの画面幅と画像コマの中央部での写真フィルム高さの実測値を測定して比率化してＡＦ特性情報とし、測定した最大サイズと最小サイズのＡＦ基準位置をＲＯＭ８２Ｂに記憶し、その他のサイズについては、測定した最大サイズと最小サイズのＡＦ基準位置とＡＦ特性情報とから補間演算によって算出してＲＯＭ８２Ｂに記憶する。【選択図】        図６
2006215367.tif 000002
【特許請求の範囲】
【請求項１】
同一幅の記録領域に記録された幅方向と直交する方向の画像サイズがそれぞれ異なる複数種類の記録媒体を読み取り可能な画像読取装置であって、
前記記録媒体に記録されている前記画像サイズに応じて、画像位置周囲を押圧する押圧手段と、
前記押圧手段によって押圧された前記記録媒体に記録された画像を撮像する撮像素子と、
前記記録媒体の前記記録領域に記録された画像を前記撮像素子に結像する結像手段と、
前記結像手段の焦点位置を調整する調整手段と、
予め測定した複数の前記画像サイズのうち基準画像サイズにおける前記調整手段による焦点位置調整の基準となる基準焦点位置を記憶すると共に、測定した前記基準焦点位置と残りの前記画像サイズにおける前記基準焦点位置を得るための焦点特性情報とから予め算出した残りの前記画像サイズにおける前記基準焦点位置を記憶する記憶手段と、
を備えることを特徴とする画像読取装置。
【請求項２】
前記押圧手段は、前記画像サイズに応じて押圧する画像位置周囲の位置を変更可能な押圧部材からなることを特徴とする請求項１に記載の画像読取装置。
【請求項３】
前記基準画像サイズは、複数の前記画像サイズのうち、最大画像サイズと最小画像サイズであることを特徴とする請求項１又は請求項２に記載の画像読取装置。
【請求項４】
前記記録媒体がブローニフィルムであることを特徴とする請求項１乃至請求項３の何れか１項に記載の画像読取装置。
【発明の詳細な説明】
【技術分野】
【０００１】
本発明は、画像読取装置にかかり、特に、写真フイルム等の記録媒体に記録された画像を読み取る画像読取装置に関する。
【背景技術】
【０００２】
写真フィルムに記録されている画像コマを読取って感光材料に露光する画像読取装置では、写真フィルムを保持するフィルムキャリアを、読み取る写真フィルムの種類に応じて複数種類用意しておき、これらのフィルムキャリアを写真フィルムの種類毎に交換してセットして写真フィルムを読み取るものがある。
【０００３】
このような画像読取装置では、フィルムキャリア毎に写真フィルムの位置が異なっている場合があり、それぞれの写真フィルムに対応して画像のピント合わせを行う前の段階で、フィルムキャリア毎にピント合わせを行うことで、それぞれの写真フィルムに対応したピント合わせを容易に行うことができる。
【０００４】
そこで、例えば、特許文献１に記載の技術では、多サイズに対応するフィルムキャリアにおいて、マスク毎にピントチャートを設けて、該ピントチャートを用いてマスク毎のピント合わせを行うことが提案されている。また、フィルムの種類によってフィルム厚やカール量が異なる場合には、これらを考慮して補正量を持たせることが提案されている。
【特許文献１】特開平１１−１８４０１６号公報
【発明の開示】
【発明が解決しようとする課題】
【０００５】
しかしながら、ピント合わせ動作（以下、ＡＦ：Auto Focus動作）においては、画像読取装置を設置調整する際に、予め設定したＡＦ基準位置を中心または端部としてある範囲で焦点レンズを移動させて撮像を行い、解像度評価値が最も良い位置で本番の撮像を行うが、ＡＦ基準位置は、フィルム面の位置の変化に応じてＡＦ基準位置も変化させることが望ましい。
【０００６】
例えば、フィルム面高さ変化の要因であるマスク開口毎、すなわちマスク毎に設定する必要があり、マニュアルフィルムキャリアなどマスク数が多い（例えば、１０個前後）場合には、画像読取装置の設置調整時の工数が増える要因となっている、という問題がある。
【０００７】
本発明は、上記問題を解決すべく成されたもので、画像読取装置の設置調整時の工数を削減することができる画像読取装置を提供することを目的とする。
【課題を解決するための手段】
【０００８】
上記目的を達成するために請求項１に記載の発明は、同一幅の記録領域に記録された幅方向と直交する方向の画像サイズがそれぞれ異なる複数種類の記録媒体を読み取り可能な画像読取装置であって、前記記録媒体に記録されている前記画像サイズに応じて、画像位置周囲を押圧する押圧手段と、前記押圧手段によって押圧された前記記録媒体に記録された画像を撮像する撮像素子と、前記記録媒体の前記記録領域に記録された画像を前記撮像素子に結像する結像手段と、前記結像手段の焦点位置を調整する調整手段と、予め測定した複数の前記画像サイズのうち基準画像サイズにおける前記調整手段による焦点位置調整の基準となる基準焦点位置を記憶すると共に、測定した前記基準焦点位置と残りの前記画像サイズにおける前記基準焦点位置を得るための焦点特性情報とから予め算出した残りの前記画像サイズにおける前記基準焦点位置を記憶する記憶手段と、を備えることを特徴としている。
【０００９】
請求項１に記載の発明によれば、同一幅の記録領域に記録された幅方向と直交する方向の画像サイズがそれぞれ異なる複数種類の記録媒体が読み取り可能とされており、例えば、記録媒体としては、請求項４に記載の発明のように、ブローニフィルムを適用することができる。すなわち、ブローニフィルムでは、一般的に同一幅の記録領域に記録された幅方向と直交する方向の画像サイズが異なる複数種類のフィルムがあり、一般的に画像サイズが６×４．５、６×６、６×７、６×８、６×９の複数種類のフィルムがある。
【００１０】
また、このような記録媒体は、押圧手段によって、記録媒体に記録されている画像サイズに応じて画像位置周囲が押圧される。これによって、記録媒体が固定される。
【００１１】
押圧手段によって押圧されることで固定された記録媒体は、撮像素子によって記録領域に記録された画像が撮像され、記録媒体の記録領域に記録された画像は、結像手段によって撮像素子に結像される。この時、調整手段によって結像手段の焦点位置が調整される。すなわち、調整手段によってピント調整が行われる。
【００１２】
ところで、上述のような複数種類の記録媒体では、幅方向と直交する方向の画像サイズが異なり、押圧手段が上述のように、画像サイズに応じて画像位置周囲を押圧することで記録媒体を固定するが、記録媒体のカール等によっては、読み取る記録領域の位置がカール等によって変化するので、焦点位置が画像サイズ毎に変化する傾向があり、調整手段による調整時に用いる基準焦点位置も変化する傾向にある。
【００１３】
そこで、複数の画像サイズのうち基準画像サイズにおける調整手段による焦点位置調整の基準となる基準焦点位置を予め測定して記憶手段に記憶すると共に、測定した基準画像サイズにおける基準焦点位置と、残りの画像サイズにおける基準焦点位置を得るための焦点特性情報とから予め算出した残りのサイズにおける基準焦点位置を記憶手段に記憶する。例えば、焦点特性情報としては、画像サイズ毎に変化する焦点位置のずれる割合等を適用することができ、基準画像サイズの基準焦点位置と焦点特性情報とから他の画像サイズの基準焦点位置を算出することが可能である。
【００１４】
すなわち、基準画像サイズのみの基準焦点位置のみを測定して記憶手段に記憶し、他の画像サイズの基準焦点位置は、測定した基準画像サイズの基準焦点位置と焦点特性情報とから算出して記憶するので、画像読取装置の設置調整時には、基準画像サイズの基準焦点位置情報のみを測定すればよいので、画像読取装置の設置調整時の工数を削減することができる。
【００１５】
なお、押圧手段は、請求項２に記載の発明のように、画像サイズに応じて押圧する画像位置周囲の位置を変更可能な押圧部材を適用することができ、当該押圧部材によって撮像素子による撮像範囲、すなわち、マスクサイズを可変することができる。
【００１６】
また、基準画像サイズとしては、請求項３に記載の発明のように、複数の画像サイズのうち、最大画像サイズと最小画像サイズを基準画像サイズとして適用することができる。また、何れか１つの画像サイズを基準画像サイズとするようにしてもよい。
【発明の効果】
【００１７】
以上説明したように本発明によれば、基準画像サイズのみの基準焦点位置情報を記憶手段に記憶し、他の画像サイズの基準焦点位置情報は、焦点特性情報として記憶することで、画像読取装置の設置調整時には、基準画像サイズの基準焦点位置情報のみを測定して記憶すればよいので、画像読取装置の設置調整時の工数を削減することことができる、という効果がある。
【発明を実施するための最良の形態】
【００１８】
以下、図面を参照して本発明の実施の形態の一例を詳細に説明する。なお、本実施の形態は、写真フィルムを読み取るスキャナ装置に本発明を適用したものである。
【００１９】
図１〜図３には、本実施の形態に係わるスキャナ装置に適用されるフィルムキャリア１０が示され、図５には、本発明の実施の形態に係わるスキャナ装置の概略構成が示されている。
【００２０】
スキャナ装置は、図５に示すように、フィルムキャリア１０に載置された写真フィルムＦに光源部７０からの光を照射し、写真フィルムＦを透過した光をレンズユニット７２によりＣＣＤエリアセンサ等の撮像素子７４の受光面上に結像する。これによって、フィルム透過光を撮像素子７４によって電気的な画像信号に変換して画像を読み取る。なお、レンズユニット７２には、撮像素子７４に結像する焦点を調整するための焦点レンズ７２Ａが含まれており、焦点レンズ７２Ａを移動することによって写真フィルムＦに対する焦点調整が可能とされている。
【００２１】
フィルムキャリア１０は、ブローニーフィルム用のフィルムキャリアでスキャナ装置に着脱可能とされており、このフィルムキャリア１０には、図１及び図２に示されるように、スキャナ装置に装着されるベース台１２が設けられている。ベース台１２の略中央部には、写真フィルム（ブローニーフィルム）Ｆに記録された画像コマＰにスキャナ装置８０の光源部７０から出射された光を照射し、写真フィルムＦを透過した光（フィルム透過光）をスキャナ装置８０のレンズユニット７２によりＣＣＤエリアセンサ等の撮像素子７４の受光面上に結像することにより、フィルム透過光を撮像素子によって電気的な画像信号に変換して画像を読み取るための画像読取部１４が設けられている。また、ベース台１２の上面部には、写真フィルムＦを画像読取部１４に搬送するためのフィルム搬送路Ｒが装置の幅方向（矢印Ｗ方向）に沿って延在するように形成されており、このフィルム搬送路は図中の矢印Ｒで模式的に示されている。
【００２２】
図２に示されるように、画像読取部１４には装置幅方向を長手とする矩形状の窓部１６が形成されており、窓部１６には、画像読取部１４に搬送された写真フィルムＦの裏面が接触して光照射方向（図４（Ｂ）の光軸Ｌ参照）に沿った基準位置に写真フィルムＦをセットするためのベース板１８が嵌め込まれている。
【００２３】
ベース板１８は、透明ガラス板で形成されており、図３に示されるように、ベース板１８の上面には、写真フィルムＦの画像コマＰと対応する部位に、フィルム搬送方向（矢印Ａ方向）に沿って凹部２０が延設され、フィルム搬送方向と直交する方向（フィルム幅方向）における両側縁部に、凹部２０を形成する一対の凸部２２Ａ、２２Ｂが延設されている。上記の光照射方向に沿った基準位置は、この一対の凸部２２Ａ、２２Ｂの各上面によって構成されている（画像読取基準面Ｓ）。また、凹部２０のフィルム搬送方向と直交する方向での溝幅寸法Ｌ１は、画像コマＰの幅寸法Ｌ２よりも少し大きくされている。
【００２４】
フィルム搬送路Ｒにおける画像読取部１４の上流側及び下流側には、フィルム搬送方向と直交する方向に沿って延出された一対のマスク２４Ａ、２４Ｂが設けられている。この一対のマスク２４Ａ、２４Ｂは、フィルム搬送方向と直交する方向での長さ寸法が、ベース板１８の凹部２０の溝幅寸法Ｌ１よりも少し小さくされており（図３参照）、ベース台１２に図示しない支持機構によって昇降可能、及びフィルム搬送方向に沿って移動可能とされ（矢印Ｗ方向）互いに接近及び離間するように支持されたマスク保持部材２６Ａ、２６Ｂに取り付けられて保持されている。
【００２５】
これにより、マスク２４Ａ、２４Ｂは、マスク保持部材２６Ａ、２６Ｂの昇降に伴いベース板１８に対して接近及び離間する（図３の矢印Ｚ方向）。また、マスク２４Ａ、２４Ｂは、マスク保持部材２６Ａ、２６Ｂが上昇しているときには、ベース板１８から所定距離だけ離れて配置され、マスク保持部材２６Ａ、２６Ｂが所定位置まで下降すると、画像読取基準面Ｓと略一致する所定の位置で停止されるよう構成されている。
【００２６】
また、マスク保持部材２６Ａ、２６Ｂの一端部には、フィルム搬送方向に沿って延出されたラック３０が連結されており、ラック３０のラックギア３２には、ステッピングモータからなるマスク移動モータ３４の駆動ギア３６が噛み合っている。これにより、マスク移動モータ３４が駆動ギア３６を回転駆動させると、ラック３０がフィルム搬送方向に沿って移動し、このラック３０の移動に伴いマスク保持部材２６Ａ、２６Ｂはフィルム搬送方向に沿って移動しつつ互いに接近及び離間し、マスク２４Ａ、２４Ｂによるマスク位置を変更する。このマスク２４Ａ、２４Ｂの変位により、写真フィルムＦの搬送方向における画像コマサイズの変更に対応することができる。
【００２７】
フィルム搬送方向と直交する方向における画像読取部１４の両側には、一対の圧着ユニット４０Ａ、４０Ｂが設けられている。この一対の圧着ユニット４０Ａ、４０Ｂは、フィルム搬送方向に沿って延出された圧着ベース４２を備えており、圧着ベース４２は、ベース台１２に図示しない支持機構によって昇降可能に支持され、マスク保持部材２６Ａ、２６Ｂの昇降に伴いベース板１８に対して接近及び離間する（図３の矢印Ｚ方向）。
【００２８】
圧着ベース４２の内側面には、図２に示されるように、フィルム搬送方向に沿って配列された駆動プーリ４４、４個のアイドラプーリ４６、及び従動プーリ４８がそれぞれ回転可能に設けられている。これらの駆動プーリ４４、アイドラプーリ４６、及び従動プーリ４８には無端状のベルト５０が巻き掛けられており、各ベルト５０はフィルム搬送方向に沿って延設され、図３に示されるように、ベース板１８の上面に設けられた凸部２２Ａ、２２Ｂに対向して配置されている。また、各ベルト５０は、マスク保持部材２６Ａ、２６Ｂが上昇しているときには、凸部２２Ａ、２２Ｂから所定距離だけ離れて配置され、マスク保持部材２６Ａ、２６Ｂが所定位置まで下降すると、上述したマスク２４Ａ、２４Ｂの所定位置での停止後に、凸部２２Ａ、２２Ｂに圧着する。
【００２９】
図２に示されるように、圧着ユニット４０Ａ、４０Ｂの各駆動プーリ４４には、回転駆動軸５２Ａ、５２Ｂが連結されている。圧着ユニット４０Ａ、４０Ｂの各ベルト５０は、図示しないベルト駆動モータによって回転駆動軸５２Ａ、５２Ｂが同期して回転駆動されることにより、各駆動プーリ４４によって回転駆動され所定の方向へ同期して回転移動する。
【００３０】
図１に示されるように、フィルム搬送方向と直交する方向における圧着ユニット４０Ａ、４０Ｂの各外側には、一対の偏芯カム５４Ａ、５４Ｂが配置されている。この一対の偏芯カム５４Ａ、５４Ｂは、両端部が一対の軸受け部５６Ａ、５６Ｂに回転可能に支持されており、図３に示されるように、カム部５８Ａ、５８Ｂが、マスク保持部材２６Ａ、２６Ｂ上面の両側部に形成された押圧面部６０に当接している。
【００３１】
偏芯カム５４Ａ、５４Ｂの一端部先端には、タイミングプーリ６２Ａ、６２Ｂが取り付けられている。これらのタイミングプーリ６２Ａ、６２Ｂと、ステッピングモータからなる圧着モータ６６の駆動プーリ６７との間には、１本の無端状のタイミングベルト６４が巻き掛けられている。これにより、圧着モータ６６が作動して駆動プーリ６７を回転駆動させると、その回転駆動力がタイミングベルト６４を介してタイミングプーリ６２Ａ、６２Ｂに伝達され、偏芯カム５４Ａ、５４Ｂは同期して回転し、カム部５８Ａ、５８Ｂのカム面を上下に移動させる。そして、マスク保持部材２６Ａ、２６Ｂは、押圧面部６０が偏芯カム５４Ａ、５４Ｂのカム部５８Ａ、５８Ｂに押圧されると、下降してベース板１８に接近し、また、カム部５８Ａ、５８Ｂによる押圧が解除されると、支持機構に設けられた図示しないばね部材のばね力によって上昇しベース板１８から離間する。
【００３２】
続いて、スキャナ装置８０を制御するコントローラについて説明する。図６は、本発明の実施の形態に係わるスキャナ装置８０を制御するコントローラ９０の構成を示すブロック図である。
【００３３】
スキャナ装置８０は、図６に示すコントローラ９０によって制御されるようになっている。
【００３４】
コントローラ９０は、マイクロコンピュータ８２を含んで構成されており、マイクロコンピュータ８２はＣＰＵ８２Ａ、ＲＯＭ８２Ｂ、ＲＡＭ８２Ｃ、入出力ポート（Ｉ／Ｏ）８２Ｄ及びこれらを接続するデータバスやシステムバス等のバスで構成されている。
【００３５】
Ｉ／Ｏ８２Ｄには、Ａ／Ｄ変換器８６を介して撮像素子７４が接続されている。また、Ｉ／Ｏ８２Ｄには、フィルムキャリア１０の各種モータを駆動するためのドライバ８８、写真フィルムＦに記録された画像を撮像素子７４に結像するレンズユニット７２に含まれる焦点レンズ７２Ａの焦点調整を行うためのＡＦモータ９８を駆動するためのドライバ９２、光源部７０の発光を制御するためのドライバ９４が接続されており、ドライバ８８にはフィルムキャリア１０の各種モータが接続され、ドライバ９２にはＡＦモータ９８が接続され、ドライバ９４には、光源部７０が接続されている。
【００３６】
また、光源部７０の発光制御を行う発光制御部９６及び撮像素子７４の読取タイミング等を制御するＣＣＤ制御部８４がＩ／Ｏ８２Ｄに接続されており、発光制御部９６はドライバ９４に接続され、ＣＣＤ制御部８４は撮像素子７４に接続されている。
【００３７】
ＣＣＤ制御部８４は、所定のタイミング（クロック）に従って撮像素子７４の読取タイミングを制御し、発光制御部１１８は、ＣＣＤ制御部１２０によって行われる読取タイミング間で、光源部７０が発光するように発光制御を行う。また、発光制御部９６の光源部７０の制御は、所定時間の間、所定の電流値を光源部７０に入力すると共に、ＩＲ、Ｒ、Ｇ、Ｂの各色の発光タイミングの制御を行うようになっている。
【００３８】
一方、マイクロコンピュータ８２のＲＯＭ８２Ｂには、スキャナ装置８０を制御するため各種プログラムが記憶されており、ＣＰＵ８２Ａの制御によってＲＯＭ８２Ｂに記憶された各種プログラムがＲＡＭ８２Ｃ等に展開されて起動されることにより、スキャナ装置８０の動作が制御される。
【００３９】
また、ＲＯＭ８２Ｂには、ＡＦモータ９８の駆動を制御して焦点調整を行う際に、焦点調整を開始する基準位置を表す基準位置情報が記憶されており、当該基準位置にレンズユニット７２に含まれるＡＦレンズを移動した後に、焦点調整が開始されるようになっている。
【００４０】
ここで、ＲＯＭ８２Ｂに記憶される焦点調整を行う基準位置情報について説明する。
【００４１】
上述したように、本発明の実施の形態に係わるフィルムキャリア１０は、マスク２４Ａ、２４Ｂが違いに接近及び離間することで、写真フィルムＦの搬送方向における画像コマサイズの変更に対応し、例えば、本実施の形態では、ブローニフィルムの各サイズ（６×４．５、６×６、６×７、６×８、６×９）に対応する。
【００４２】
写真フィルムＦの高さ（光源部７０の光軸方向の写真フィルムＦ面のばらつき）は、マスク開口の大きさや写真フィルムＦのカールの強さ、支持体の腰の強さ、環境等の要因によって変化するため、写真フィルムＦに記録された画像をスキャナ装置８０で読み取る際には、前もってＡＦ動作（焦点調整動作）を行い、ピンぼけにならないようにする必要がある。また、ＡＦ動作においては、設置調整時に設定したＡＦ基準位置（レンズユニット７２の焦点レンズ７２Ａの基準位置）を基準として、予め定めた範囲でレンズユニット７２の焦点レンズ７２Ａを移動させて撮像を行い、解像度評価値が最も良い位置で写真フィルムＦの読み取りを行うが、ＡＦ基準位置は、写真フィルムＦ面の高さ変化の一つの要因であるマスク開口毎（マスク毎）に設定する必要があり、従来のマニュアルフィルムキャリアなどマスク数が多い（例えば、１０個前後）の場合には設置時のＡＦ基準位置の調整をマスク数分を行う必要があった。
【００４３】
そこで、本実施の形態では、最小サイズ（６×４．５）と最大サイズ（６×９）のみのＡＦ基準位置を実測して実測結果を最小サイズ及び最大サイズのＡＦ基準位置情報としてＲＯＭ８２Ｂに記憶し、最小サイズと最大サイズの間のサイズ（６×６、６×７、６×８）については、補間したデータを各サイズのＡＦ基準位置としてＲＯＭ８２Ｂに記憶するようになっている。データの補間は、後述するＡＦ特性情報を用いて補間する。
【００４４】
ここで、ＡＦ特性情報について説明する。
【００４５】
図７（Ａ）は、画面幅と中央部での写真フィルムＦ高さとの関係を測定した実測値の表を示し、図７（Ｂ）は、最小サイズと最大サイズを基準として比率化した表を示し、図７（Ｃ）は、比率化された表の平均値を表す表を示し、図７（Ｄ）は、写真フィルムＦの画面幅と中央部での写真フィルムＦ高さとの関係を示すグラフを示す。
【００４６】
ブローニフィルムの各サイズの画面幅と画像コマの中央部での写真フィルムＦ高さの実測値は、図７（Ａ）に示すようになり、最大サイズと最小サイズを基準として比率化すると図７（Ｂ）に示すようになる。
【００４７】
これらの平均値を算出すると、ブローニフィルムの各サイズでは、図７（Ｃ）に示すように、最大サイズの６×９でのフィルム高さを１００％、最小サイズの６×４．５のフィルム高さを０％とすると、６×８のサイズでは、比率の平均値が７３．８％となり、６×７のサイズでは、比率の平均値が４９．５となり、６×６のサイズでは、比率の平均値が８．２となり、グラフ化すると、図７（Ｄ）のようになる。
【００４８】
そこで、本実施の形態では、これらの比率の平均値をＡＦ特性情報として用いて補間データを作成して、最大サイズと最小サイズの間の各サイズのＡＦ基準位置情報をＲＯＭ８２Ｂに記憶する。すなわち、最大サイズと最小サイズの２サイズについては実測のＡＦ基準位置を記憶し、最大サイズと最小サイズの間の各サイズについては、ＡＦ特性情報を用いて算出したＡＦ基準位置を記憶する。
【００４９】
次に、上記の構成とされた本実施形態のフィルムキャリア１０による写真フィルムＦに記録された画像コマＰから画像を読み取る画像読取動作及びその作用について説明する。
【００５０】
ＣＰＵ８２Ａがドライバ８８を介してフィルムキャリア１０を制御することで、フィルムキャリア１０では、圧着ユニット４０Ａ、４０Ｂの各ベルト５０の回転移動により、写真フィルムＦがベース台１２の上面部に設けられたフィルム搬送路Ｒに沿って搬送され、図４（Ａ）に示されるように画像読取部１４に停止されると、圧着モータ６６が駆動してマスク保持部材２６Ａ、２６Ｂは下降する。
【００５１】
このマスク保持部材２６Ａ、２６Ｂの下降に伴い、ベース板１８に接近する方向へ移動される一対のマスク２４Ａ、２４Ｂによってフィルム表面における搬送方向の両縁部ＦＡ（図１参照）が押圧され画像読取基準面Ｓまで押し込まれる。さらに、このマスク２４Ａ、２４Ｂによる押圧後に、マスク保持部材２６Ａ、２６Ｂの下降に伴い、ベース板１８に接近する方向へ移動される一対の圧着ユニット４０Ａ、４０Ｂの各ベルト５０がフィルム表面における幅方向の両縁部ＦＢに圧着し、図４（Ｂ）に示されるように、写真フィルムＦは両縁部ＦＢが各ベルト５０とベース板１８の凸部２２Ａ、２２Ｂとの間に挟持されて画像読取部１４にセットされる。
【００５２】
その状態で、写真フィルムＦに記録された画像コマＰに、スキャナ装置８０の光源部から出射された光（図４（Ｂ）の矢印ＬＴ）がベース板１８を透過して照射され、この画像コマＰを透過した光（透過光）が、スキャナ装置８０のレンズユニット７２により撮像素子７４の受光面上に結像される。これにより、フィルム透過光が撮像素子７４によって電気的な画像信号に変換され、画像として読み取られる。
【００５３】
ここで、写真フィルムＦに生じているフィルム幅方向に曲率を持つ樋状のカールは、フィルム幅方向の両縁部ＦＢが圧着ユニット４０Ａ、４０Ｂの各ベルト５０とベース板１８の凸部２２Ａ、２２Ｂとの間に挟持される前に、フィルム搬送方向の両縁部ＦＡがマスク２４Ａ、２４Ｂによって押圧されることにより大幅に縮小される。したがって、大きなカールであっても確実に抑えることができ、写真フィルムＦの平面性を良好にすることができる。
【００５４】
また、マスク２４Ａ、２４Ｂは、ベース板１８から離間され写真フィルムＦの押圧を解除した状態で、マスク移動モータ３４の駆動によるマスク保持部材２６Ａ、２６Ｂの相対移動により、画像コマＰのサイズに応じてフィルム搬送方向に沿って互いに接近及び離間するよう移動され、所定のマスク位置に配置される。このマスク２４Ａ、２４Ｂの変位により、写真フィルムＦを傷付けることなく搬送方向における画像コマサイズの変更に対応することができる。
【００５５】
また、樋状の大きなカールが生じている写真フィルムＦに対し、フィルム搬送方向の両縁部ＦＡを押圧する一対のマスク２４Ａ、２４Ｂを、例えば光照射方向に沿った基準位置（画像読取基準面Ｓ）まで移動させただけでは、写真フィルムＦの中央部に許容範囲を超えるカールが残ってしまう場合があり、さらに、この一対のマスク２４Ａ、２４Ｂによる押圧で、フィルム搬送方向の両縁部ＦＡを例えばベース板１８に圧着させてしまうと、写真フィルムＦとベース板１８との間に空気溜まりが形成されてカールが潰れにくくされてしまう問題あがる。
【００５６】
これに対し、本実施形態では、ベース板１８の画像コマＰと対応する部位に、フィルム搬送方向に沿って凹部２０を設け、フィルムＦとベース板１８との間の空気を逃がすことによりカールＣを許容範囲に抑えることが可能となる。
【００５７】
また、本実施形態では、フィルム搬送路Ｒに沿って画像読取部１４に搬送される写真フィルムＦは、圧着ユニット４０Ａ、４０Ｂに搬送方向に沿って回転移動可能に設けられた各ベルト５０によって搬送されるため、１コマ又は複数コマ毎にカットされた短尺の写真フィルムでも自動で搬送することができる。
【００５８】
ところで、画像コマを撮像素子７４によって撮像する際には、ＡＦ動作が行われるが、本実施の形態では、ブローニフィルムの各サイズにおけるＡＦ基準位置がＲＯＭ８２Ｂに記憶されており、最大サイズ及び最小サイズの画像コマを読み取る際には、ＡＦ動作を行う際に、ＣＰＵ８２Ａがドライバ９２を介してＡＦモータ９８を駆動制御することにより、ＲＯＭ８２Ｂに記憶されたＡＦ基準位置情報が表す位置に焦点レンズ７２Ａを移動された後に、ＡＦ動作が行われて最大サイズ及び最小サイズに対応したＡＦ基準位置からのＡＦ動作を開始することができる。
【００５９】
一方、ブローニフィルムの最大サイズと最小サイズの間の各サイズにおいては、最大サイズ及び最小サイズのＡＦ基準位置情報と、ＡＦ特性情報から算出した各サイズにおけるＡＦ基準位置がＲＯＭ８２Ｂに記憶されており、最大サイズと最小サイズの間の各サイズの画像コマを読み取る際には、ＡＦ動作を行う際に、ＣＰＵ８２Ａがドライバ９２を介してＡＦモータ９８を駆動制御することにより、上述のように算出されてＲＯＭ８２Ｂに記憶されたＡＦ基準位置に焦点レンズ７２Ａを移動させた後に、ＡＦ動作が行われて各サイズに対応したＡＦ基準位置からのＡＦ動作を開始することができる。
【００６０】
本実施の形態では、上述したように写真フィルムのカールを許容範囲に抑えることができるものの、許容範囲内のカールが残ってしまい、ブローニフィルムの各サイズでカールが異なることでＡＦ動作の開始位置等の基準位置が変化してしまう。そこで、ＡＦ基準位置を各サイズ毎に従来の技術のように変更するが、本実施の形態に関わるスキャナ装置８０の組立調整時には、各サイズ毎にＡＦ基準位置を実測して記憶しておく必要がなく、最大サイズと最小サイズのＡＦ基準位置を実測してＲＯＭ８２Ｂに記憶しておき、他のサイズについては上述したように最大サイズと最小サイズのＡＦ基準位置と、ＡＦ特性情報とから算出した各サイズのＡＦ基準位置から各画像サイズのＡＦ基準位置を算出してＲＯＭ８２Ｂに記憶するので、スキャナ装置８０の組立調整時のＡＦ基準位置測定にかかる調整工数を削減することができる。
【００６１】
ここで、本発明の実施の形態に係わるスキャナ装置８０の組立調整時に行われる処理の一部について説明する。
【００６２】
図８は、本発明の実施の形態に係わるスキャナ装置８０の組立調整時に行われる処理の流れの一部を示すフローチャートである。
【００６３】
スキャナ装置８０の組立調整時に、ステップ１００では、最大サイズ（６×９サイズ）及び最小サイズ（６×４．５サイズ）のＡＦ基準位置の測定を行う。
【００６４】
続いて、ステップ１０２では、測定した最大サイズ及び最小サイズのＡＦ基準位置をＲＯＭ８２Ｂに記憶する。
【００６５】
また、ステップ１０４では、測定された最大サイズ及び最小サイズのＡＦ基準位置と、上述のＡＦ特性情報から各サイズ（６×６、６×７、６×８）のＡＦ基準位置を算出する。各サイズのＡＦ基準位置の算出は、例えば、最大サイズのＡＦ基準位置がｘ、最小サイズのＡＦ基準位置がｙ、読み取り対象画像コマに対応するサイズのＡＦ特性情報がＡ％の場合には、ＡＦ基準位置は、（（ｘ−ｙ）×Ａ／１００）＋ｙで算出することができる。
【００６６】
そして、ステップ１０６では、算出した各サイズのＡＦ基準位置をＲＯＭ８２Ｂに記憶して当該処理を終了する。
【００６７】
次に、本発明の実施の形態に係わるスキャナ装置８０のコントローラ９０で行われるＡＦ動作時の制御の流れの一例について説明する。
【００６８】
図９は、本発明の実施の形態に係わるスキャナ装置８０のコントローラ９０で行われるＡＦ動作時の処理の流れの一例を示すフローチャートである。
【００６９】
まず始めに、ステップ２００では、読み取り対象の画像コマサイズの取得が行われる。例えば、図示しない操作部等を用いて画像コマサイズの取得を行う。
【００７０】
続いて、ステップ２０２では、取得した画像サイズに応じたＡＦ基準位置がＲＯＭ８２Ｂから取得されてステップ２０４へ移行する。
【００７１】
ステップ２０４では、ＣＰＵ８２Ａがドライバ９２を制御することによってＡＦモータ９８を駆動してレンズユニット７２の焦点レンズ７２ＡをＲＯＭ８２Ｂから読み出したＡＦ基準位置へ移動してステップ２０６へ移行する。
【００７２】
ステップ２０６では、ＡＦ基準位置に調整されたところからＡＦ動作を開始してＡＦ動作時の処理を終了する。
【００７３】
このように、ＡＦ基準位置にレンズユニット７２の焦点レンズ７２Ａを移動してからＡＦ動作を開始することで焦点調整を容易に行うことが可能となる。
【００７４】
また、本実施の形態に係わるスキャナ装置８０では、上述のように、組立調整時には基準画像サイズである最大サイズと最小サイズのＡＦ基準位置のみを測定すればよいので、組立調整時のＡＦ基準測定に必要な工数を大幅に削減することができる。
【００７５】
以上、本発明を上述した特定の実施形態により詳細に説明したが、本発明はその実施形態に限定されるものではなく、本発明の範囲内にて他の種々の形態が実施可能である。
【００７６】
例えば、上述した実施形態では、マスク２４Ａ、２４Ｂを互いに接近及び離間させることによりマスク位置を変更するよう構成しているが、これらのマスク２４Ａ、２４Ｂは、何れか一方を他方に対して接近及び離間させることでマスク位置を変更するようにしてもよい。
【００７７】
また、本発明の実施の形態では、ブローニフィルムの最大サイズと最小サイズのＡＦ基準位置を実測し、他のサイズについては最大サイズと最小サイズのＡＦ基準位置と、ＡＦ特性情報とから補間するようにしたが、これに限るものではなく、実測するＡＦ基準位置としては、例えば、６×７のサイズのＡＦ基準位置のみを実測して、他のサイズについては上記の実施の形態と同様に、実測したＡＦ基準位置とＡＦ特性情報から補間演算によって算出するようにしてもよい。この場合の補間は、外挿による補間によってＡＦ基準位置を算出することができる。すなわち、複数サイズのうちの何れか１サイズのみのＡＦ基準位置を測定し、他のサイズについてはＡＦ特性情報を用いて算出することができる。
【図面の簡単な説明】
【００７８】
【図１】本発明の実施の形態に係わるスキャナ装置に適用されるフィルムキャリアの外観を示す斜視図である。
【図２】図１のフィルムキャリアにおいてマスク、マスク保持部材、及びその駆動機構を取り除いた状態の外観を示す斜視図である。
【図３】本発明の実施の形態に係わるスキャナ装置に適用されるフィルムキャリアの要部をフィルム搬送路の上流側から見た外観を示す斜視図である。
【図４】フィルムキャリアによる写真フィルムのカールを抑える動作を説明する図であり、（Ａ）は樋状のカールを生じている写真フィルムが画像読取部に搬送された直後の状態を示し、（Ｂ）は写真フィルムのカールが抑えられている状態を示す。
【図５】本発明の実施の形態に係わるスキャナ装置の概略構成を示す図である。
【図６】本発明の実施の形態に係わるスキャナ装置を制御するコントローラの構成を示すブロック図である。
【図７】ＡＦ特性情報を説明するための図であり、（Ａ）は画面幅と中央部での写真フィルムＦ高さとの関係を測定した実測値の表を示し、（Ｂ）は最小サイズと最大サイズを基準として比率化した表を示し、（Ｃ）は比率化された表の平均値を表す表を示し、（Ｄ）は写真フィルムＦの画面幅と中央部での写真フィルムＦ高さとの関係を示すグラフを示す。
【図８】本発明の実施の形態に係わるスキャナ装置の組立調整時に行われる処理の流れの一部を示すフローチャートである。
【図９】本発明の実施の形態に係わるスキャナ装置のコントローラで行われるＡＦ動作時の処理の流れの一例を示すフローチャートである。
【符号の説明】
【００７９】
１０    フィルムキャリア
２４Ａ、２４Ｂ    マスク
５０    ベルト
７０    光源部
７２    レンズユニット
７２Ａ    焦点レンズ
７４    撮像素子
８０    スキャナ装置
８２    マイクロコンピュータ
８２Ａ    ＣＰＵ
８２Ｂ    ＲＯＭ
９０    コントローラ
９２    ドライバ
９８    ＡＦモータ
【図１】
2006215367.tif 000003
【図２】
2006215367.tif 000004
【図３】
2006215367.tif 000005
【図４】
2006215367.tif 000006
【図５】
2006215367.tif 000007
【図６】
2006215367.tif 000008
【図７】
2006215367.tif 000009
【図８】
2006215367.tif 000010
【図９】
2006215367.tif 000011